(57)【要約】【課題】建築物の壁や柱等に容易に施工することができるコーナータイルユニット及びその製造方法を提供すること。【解決手段】第１タイル１２と第２タイル１３とを両者の間に所定角度を持たせた状態で両者の端部を突き合わせて接着してなる突き合わせ接合部１７を有する接着コーナータイル１５を複数組有し，該複数組の接着コーナータイル１５は，各接着コーナータイル１５の上記第１タイル１４同士が隣接すると共に上記第２タイル１３同士が隣接し，かつ各上記突き合わせ接合部１７が一直線上にくるように並列配置されており，上記第１タイル１２同士の間及び上記第２タイル１３同士の間には所定の目地用空隙１８が設けられており，かつ，該目地用空隙１８には，隣り合うタイルの対向する端部を部分的に接合する連結接着体１８５が配設されていることを特徴とするコーナータイルユニット１。【選択図】　図１
2004076497.tif 000002
【特許請求の範囲】
【請求項１】
第１タイルと第２タイルとを両者の間に所定角度を持たせた状態で両者の端部を突き合わせて接着してなる突き合わせ接合部を有する接着コーナータイルを複数組有し，
該複数組の接着コーナータイルは，各接着コーナータイルの上記第１タイル同士が隣接すると共に上記第２タイル同士が隣接し，かつ各上記突き合わせ接合部が一直線上にくるように並列配置されており，
上記第１タイル同士の間及び上記第２タイル同士の間には所定の目地用空隙が設けられており，かつ，該目地用空隙には，隣り合うタイルの対向する端部を部分的に接合する連結接着体が配設されていることを特徴とするコーナータイルユニット。
【請求項２】
請求項１において，上記連結接着体は，複数配設されていることを特徴とするコーナータイルユニット。
【請求項３】
請求項１又は２において，上記突き合わせ接合部は，エポキシ系接着剤にて接着されていることを特徴とするコーナータイルユニット。
【請求項４】
請求項１に記載のコーナータイルユニットを製造する方法であって，
予め上記連結接着体により複数の上記第１タイルを連結してある第１タイル群と，予め上記連結接着体により複数の上記第２タイルを連結してある第２タイル群とを用い，
上記第１タイル群及び第２タイル群のすべての第１タイル及び第２タイルにおける上記突き合わせ接合部となるべき端部をそれぞれ研磨して傾斜を持ったテーパ端面を形成する研磨工程と，
上記第１タイルのテーパ端面と上記第２タイルのテーパ端面との間にタイル接着用の接着剤を塗布すると共に，両者の上記テーパ端面を突き合わせ，その後加熱して上記接着剤を硬化させて上記突き合わせ接合部を形成する接着工程とを有することを特徴とするコーナータイルユニットの製造方法。
【請求項５】
請求項４において，上記連結接着体は，複数配設されていることを特徴とするコーナータイルユニットの製造方法。
【請求項６】
請求項４又は５において，上記接着剤は，エポキシ系接着剤であることを特徴とするコーナータイルユニットの製造方法。
【請求項７】
請求項４〜６のいずれか１項において，上記接着工程における加熱温度は，９５℃〜１２０℃であることを特徴とするコーナータイルユニットの製造方法。
【発明の詳細な説明】
【０００１】
【技術分野】
本発明は，建築物の壁や柱等のコーナー部分に帖着するコーナータイルユニット及びその製造方法に関する。
【０００２】
【従来技術】
従来より，建築物の壁や柱等の表面には，その意匠性を高めるために，意匠性に優れた色調及び模様等を有するタイル等が貼られている。特に，壁や柱等のコーナー部分へタイルを帖着する際には，図１６に示すごとく，コーナータイルユニット９が用いられていた。このコーナータイルユニット９は，所定の角度を持たせた状態で一対のタイル９１をその端部９１５で接着した接着コーナータイル９５を複数組有する。そして，これら複数組の接着コーナータイル９５同士は，一定幅の目地用空隙９３を保持しつつ，その意匠面９９側で粘着テープ９７により互いに連結されている。そのため，上記コーナータイルユニット９を用いることにより，タイルを一枚一枚壁や柱等のコーナー部分に貼っていく必要がなく，コーナー部分へのタイルの帖着を容易に行うことができる。
【０００３】
【解決しようとする課題】
しかしながら，上記従来のコーナータイルユニット９は，上記接着コーナータイル９５を連結するために，その意匠面９９側に粘着テープ９７が貼付されている。そのため，上記コーナータイルユニット９を壁や柱等のコーナー部分に帖着した後，上記粘着テープ９７をコーナータイルユニット９から剥離する作業が必要である。また，タイルの意匠面９９の形状によっては，凹凸の激しい意匠面９９を有するものがあり，これらの意匠面９９から上記粘着テープ９７をきれいに剥離することは困難である場合がある。
また，上記コーナータイルユニット９を作製するときには，上記接着コーナータイル９５同士を正確に一定の空隙（目地用空隙９３）をあけて一列に並べ，上記粘着テープ９７を帖着する必要がある。そのため，上記コーナータイルユニット９の作製が困難であるという問題がある。
【０００４】
本発明は，かかる従来の問題点に鑑みてなされたもので，建築物の壁や柱等に容易に施工することができるコーナータイルユニット及びその製造方法を提供しようとするものである。
【０００５】
【課題の解決手段】
第１の発明は，第１タイルと第２タイルとを両者の間に所定角度を持たせた状態で両者の端部を突き合わせて接着してなる突き合わせ接合部を有する接着コーナータイルを複数組有し，
該複数組の接着コーナータイルは，各接着コーナータイルの上記第１タイル同士が隣接すると共に上記第２タイル同士が隣接し，かつ各上記突き合わせ接合部が一直線上にくるように並列配置されており，
上記第１タイル同士の間及び上記第２タイル同士の間には所定の目地用空隙が設けられており，かつ，該目地用空隙には，隣り合うタイルの対向する端部を部分的に接合する連結接着体が配設されていることを特徴とするコーナータイルユニットにある（請求項１）。
【０００６】
次に，本発明の作用効果につき説明する。
本発明のコーナータイルユニットは，上記目地用空隙に上記連結接着体が配設されており，隣り合うタイルの対向する端部が部分的に接合されている。そのため，上記コーナータイルユニットは，該コーナータイルユニットをそのままの形で建物の壁や柱等のコーナー部分に施工することができる。即ち，上記コーナータイルユニットは，従来のコーナータイルユニットのように粘着テープが貼付されておらず，壁や柱等のコーナー部分に帖着した後に粘着テープを剥離する作業を必要としない。また，粘着テープの残部を取り除く作業も必要ない。そのため，コーナータイルユニットの施工を簡単に行うことができる。
【０００７】
また，上記連結接着体は，上記第１タイルと第２タイルとの間の目地用空隙に配設されている。そのため，上記コーナータイルユニットの裏面側にモルタル等の貼り付け剤を塗布し，該コーナータイルユニットを建築物の壁や柱等のコーナー部分に施工した後には，上記目地用空隙が上記貼り付け剤によって埋められると共に，上記連結接着体が貼り付け剤によって覆われ外部からは見えなくなる。それ故，従来の粘着テープのように上記コーナータイルユニットの施工時に上記連結接着体を取り外す必要はない。
【０００８】
このように，本発明によれば，建築物の壁や柱等に容易に施工することができるコーナータイルユニットを提供することができる。
【０００９】
第２の発明は，第１の発明のコーナータイルユニットを製造する方法であって，
予め上記連結接着体により複数の上記第１タイルを連結してある第１タイル群と，予め上記連結接着体により複数の上記第２タイルを連結してある第２タイル群とを用い，
上記第１タイル群及び第２タイル群のすべての第１タイル及び第２タイルにおける上記突き合わせ接合部となるべき端部をそれぞれ研磨して傾斜を持ったテーパ端面を形成する研磨工程と，
上記第１タイルのテーパ端面と上記第２タイルのテーパ端面との間にタイル接着用の接着剤を塗布すると共に，両者の上記テーパ端面を突き合わせ，その後加熱して上記接着剤を硬化させて上記突き合わせ接合部を形成する接着工程とを有することを特徴とするコーナータイルユニットの製造方法にある（請求項４）。
【００１０】
本発明においては，予め上記連結接着体により複数の上記第１タイルを連結してある第１タイル群と，予め上記連結接着体により複数の上記第２タイルを連結してある第２タイル群とを用いて，上記コーナータイルユニットを製造している。そして，上記研磨工程及び上記接着工程においては，上記第１タイル同士及び上記第２タイル同士の上記連結接着体による連結状態を維持したまま行う。
そのため，上記コーナータイルユニットの作製時に，上記第１タイル同士間及び第２タイル同士間の幅を正確に計測しながら上記目地用空隙を形成するという作業が必要なく，簡単に上記コーナータイルユニットを作製することができる。
【００１１】
【発明の実施の形態】
上記第１の発明（請求項１）において，上記第１タイルと上記第２タイルとの間の角度は自由に設定することができる。このように角度を自由に設定することにより，上記コーナータイルユニットは，多様な形状の壁や柱等のコーナー部分に対応したものとなる。例えば，上記第１タイルと第２タイルとの間の角度としては，９０°が主流であり，１２０°という鈍角，７５°という鋭角のものが求められる場合もある。
【００１２】
上記連結接着体としては，上記第１タイル同士及び第２タイル同士を充分に保持することができ，上記コーナータイルユニットの作製時における加熱の際にも溶融を起こさない，公知の各種合成樹脂及びこれらにフィラー等を添加したもの，或いは公知の各種合成ゴム及びこれらにフィラー等を添加したもの等を利用することができる。
【００１３】
また，上記連結接着体は，上記接着コーナータイル同士が微動することができる程度の弾性を有するものであることが好ましい。この場合には，上記接着コーナータイル同士が若干揺動することができるため，施工時の取り扱いが容易になる。
また，上記連結接着体の配設位置は，タイルの意匠面からはみ出ないようにする。また，好ましくは１ｍｍ以上意匠面から後退している方がよい。
【００１４】
また，上記連結接着体は，複数配設されていることが好ましい（請求項２）。この場合には，上記連結接着体が上記第１タイル同士及び上記第２タイル同士を堅固に保持することができる。そのため，上記コーナータイルユニットの施工時に，上記接着コーナータイル同士が大きくぐらつくことがなく，施工がし易くなる。
【００１５】
また，上記突き合わせ接合部は，エポキシ系接着剤にて接着されているが好ましい（請求項３）。
この場合には，上記エポキシ系接着剤の優れた接着性を利用して，上記突き合わせ接合部の接着強度に優れたものとなる。
【００１６】
次に，上記第２の発明において，上記研磨工程においては，上記テーパ端面の傾斜角度を自由に変更することができる。
この場合には，上記コーナータイルユニットにおける上記第１タイルと第２タイルとのなす角度が変わるため，上記コーナータイルユニットは，多様なコーナー角度を有する建築物の壁や柱にも帖着できるものとなる。
【００１７】
また，上記接着工程においては，上記第１タイル群と第２タイル群とが互いに連結されるように，突き合わせ接合部の意匠面側に粘着テープを貼っておくことができる。
この場合には，上記第１タイル群と第２タイル群とを，そのテーパ端面同士でズレなく接着させることができる。
【００１８】
また，上記連結接着体は，複数配設されていることが好ましい（請求項５）。この場合には，上記コーナータイルユニットの作製時に，上記第１タイル群及び第２タイル群がぐらつき難くなるため，その取り扱いが容易になる。また，上述のように，作製後の上記コーナータイルユニットの施工性が向上する。
【００１９】
また，上記接着剤は，エポキシ系接着剤であることが好ましい（請求項６）。この場合には，上記エポキシ系接着剤の特性を生かして，加熱により簡単に上記第１タイルのテーパ端面と上記第２タイルのテーパ端面とを接着することができる。また，上記エポキシ系接着剤は，接着性に優れ，硬化持の収縮が小さいため，強固な接着及び寸法の正確さを要するコーナータイルユニットに適している。
【００２０】
上記接着工程における加熱温度は，９５℃〜１２０℃であることが好ましい（請求項７）。
この場合には，上記連結接着体を加熱により溶融させることなく，上記第１タイルのテーパ端面と上記第２タイルのテーパ端面との間に塗布された接着剤を硬化させて両者を接着することができる。
【００２１】
【実施例】
（実施例１）
次に，本発明の実施例にかかるコーナータイルユニット及びその製造方法につき，図１〜図１３を用いて説明する。
本例のコーナータイルユニット１は，図１〜図３に示すごとく，第１タイル１２と第２タイル１３とを両者の間に所定角度を持たせた状態で両者の端部を突き合わせて接着してなる突き合わせ接合部１７を有する接着コーナータイル１５を複数組有している。
【００２２】
該複数組の接着コーナータイル１５は，各接着コーナータイル１５の上記第１タイル１２同士が隣接すると共に上記第２タイル１３同士が隣接し，かつ各突き合わせ接合部１７が一直線上にくるように並列配置されている。
そして，上記第１タイル１２同士間及び上記第２タイル１３同士間には所定の目地用空隙１８が設けられており，かつ，該目地用空隙１８には，隣り合うタイルの対向する端部を部分的に接合する連結接着体１８５が配設されている。
【００２３】
以下，本例のコーナータイルユニット１につき，図１〜図３を用いて詳細に説明する。
本例のコーナータイルユニット１は，図２及び図３に示すごとく，縦ａ＝９５ｍｍ，横ｂ＝４５ｍｍ，厚みｄ＝７ｍｍのタイルを短尺方向に目地幅ｃ＝５ｍｍにて並列に配置した構造を有する，所謂曲がりユニットと呼ばれるものである。図１〜図２に示すごとく，本例のコーナータイルユニット１において，上記第１タイル１２と第２タイル１３とは，互いの端部を突き合わせて接着され６組の接着コーナータイル１５を形成している。そして，各タイルの大きさ及び意匠面１５５の形状はすべて同じである。また，各接着コーナータイル１５においては，上記第１タイル１２と第２タイル１３とが短尺方向に並列に配置されており，上記第１タイル１２と上記第２タイル１３との間の角度Ｒは，すべてＲ＝９０°に設定されている。
【００２４】
また，各接着コーナータイル１５においては，上記第１タイル１２同士及び上記第２タイル１３同士がそれぞれ隣接し，かつ各突き合わせ接合部１７が一直線上にくるように並列配置されている。
そして，上記第１タイル１２同士の間及び上記第２タイル１３同士の間には幅５ｍｍの目地用空隙１８が設けられている。
【００２５】
目地用空隙１８には，図１及び図３に示すごとく，隣り合うタイルの対向する端部を部分的に接合するように，厚みｅ＝５ｍｍの連結接着体１８５が複数配設されている。そして，連結接着体１８５は，図３に示すごとく，各タイルの意匠面１５５側からｇ＝２ｍｍ後退するように設けられており，またその裏面１５３側においては，裏面からはみ出して隣り合うタイル同士を連結している。また，本例においては，図１及び図２に示すごとく，上記第１タイル１２同士及び第２タイル１３同士の間の各目地用空隙１８に，それぞれ２個ずつの連結接着体１８５が配設されている。
【００２６】
次に，本例のコーナータイルユニットの製造方法につき図４〜図１３を用いて説明する。
本例のコーナータイルユニット１の製造方法においては，図８及び図９に示すごとく，予め上記連結接着体１８５により複数の上記第１タイル１２を連結してある第１タイル群２と，予め上記連結接着体１８５により複数の上記第２タイル１３を連結してある第２タイル群３とを用いる。
【００２７】
そして，上記第１タイル群２及び第２タイル群３のすべての第１タイル１２及び第２タイル１３における上記突き合わせ接合部となるべき端部をそれぞれ研磨して傾斜を持ったテーパ端面２２，２３を形成する（研磨工程）。
次に，上記第１タイル１２のテーパ端面２２と上記第２タイルのテーパ端面２３との間にタイル接着用の接着剤を塗布すると共に，両者の上記テーパ端面２２，２３を突き合わせ，その後加熱して上記接着剤を硬化させる（接着工程）。
【００２８】
以下，本例の製造方法につき，図４〜図１３を用いて詳細に説明する。
まず，上記第１タイル群２及び第２タイル群３を作製するために，図４に示すごとく，縦４５ｍｍ，横９５ｍｍ，厚み７ｍｍのタイル１１１が，幅５ｍｍの目地用空隙１８をあけてその長尺方向に３つずつ，短尺方向に６つずつ並列配置された平面タイルユニット１９９を準備した。この平面タイルユニット１９９において，各タイル同士は，その裏面１５３側の端部において，隣接するタイルの端部と連結接着体１８５により連結されている。そして，上記連結接着体１８５は，長尺方向に並列配置されたタイル同士間の各目地用空隙に１つずつ，短尺方向に並列配置されたタイル同士間の各目地用空隙には２つずつ配設されている。なお，この平面タイルユニットとしては，有限会社ヤナ原タイル製のものを用いた。
【００２９】
この平面タイルユニットから，図５に示すごとく，各タイルがその短尺方向に６つ連なったタイル群を切り出し，これを第１タイル群２とした。この第１タイル群２においては，その裏面１５３側にて第１タイル１２同士がその端部にて，連結接着体１８５により連結されている。この連結接着体１８５は，図５に示すごとく，隣り合うタイルの間に２つずつ配設されている。
また，同様にして上記平面タイルユニット１９９から，上記第１タイル群２と同形状のタイル群を切り出し，これを第２タイル群３とした。
【００３０】
次に，図６に示すごとく，上記第１タイル群２の上記突き合わせ接合部１７となるべき端部を研磨して傾斜角度β＝４５°のテーパ端面２２を形成する（研磨工程）。
この研磨工程においては，図７に示すごとく，研磨機４を用いて上記テーパ端面２２を形成する。
研磨機４は，図６に示すごとく，モータ４１の軸部４１５に連結された研磨部４５を有している。また，この研磨機４の下部には，送り装置４８が配置されている。そして，この送り装置４８は，図示しないクランプ装置によって該送り装置４８の上に載置された第１タイル群２を固定し，これを矢印４９９の方向に送ることができる。
【００３１】
上記研磨機４を作動させると，上記送り装置４８が作動し，上記第１タイル群２を矢印４９９の方向に送る。そして，第１タイル群２は上記突き合わせ接合部１７となる端部が，研磨機４の研磨部４５と接触し，研磨される。このときの接触角度は，自由に設定することができる。本例では，上記端部に４５°のテーパ面２２が形成されるように設定されてある。そして，上記第１タイル群２の第１タイル１２は，その端部を上記研磨機４にて研磨されながら，上記送り装置４８によって矢印４９９の方向に送られ，各第１タイル１２の端部が順次研磨される。このようにして，図６に示すごとく，第１タイル群２におけるすべての第１タイル１２の端部にテーパ端面２２が形成される。
さらに，上記第１タイル群２と同様にして，第２タイル群３の端部にも同様のテーパ端面２３を形成する。
【００３２】
次に，図８に示すごとく，上記テーパ端面２２，２３を形成した第１タイル群２及び第２タイル群３を，それぞれのテーパ端面２２，２３を設けた側の端部同士が互いに向かい合うように，意匠面１５５を上に向けて配置する。そして，第１タイル群２及び第２タイル群３の意匠面１５５側に，これらを連結するようにして粘着テープ１７９を貼付する。
続いて，図９に示すごとく，この粘着テープ１７９にて連結した第１タイル群２及び第２タイル群３を，裏面１５３を上に向けて載置する。そして，各第１タイル１２のテーパ端面２２及び各第２タイル３のテーパ端面２３にエポキシ系接着剤を塗布すると共に，各第１タイル１２のテーパ端面２２と各第２タイル１３のテーパ端面２３とを突き合わせる。
【００３３】
続いて，図１０〜図１２に示すごとく，断面Ｖ字状で９０°の角部５５２を有する本体部５５と，その両端に該本体部５５を支持する支持部５７を具備する治具５を準備する。この治具５の本体部５５の上に，上記第１タイル群２及び上記第２タイル群３を，テーパ端面２２，２３を突き合わせた状態で，意匠面１５５側が治具５の本体部５５に接触するように載置する。
図１１に示すごとく，このとき第１タイル群２及び第２タイル群３の突き合わせ接合部１７は，本体部５５の角部５５２によって，９０°の角度に保持される。
【００３４】
次に，図１３に示す加熱装置６を用いて，上記テーパ端面２２，２３に塗布した接着剤を硬化させ突き合わせ接合部１７を形成する。接着剤を硬化させるための加熱装置としては，様々な構成をとることができるが，本例の加熱装置６はその一例である。そして本例では，第１タイル群２及び第２タイル群３を配置した治具５を運搬台５９９の上に載置し，さらに該運搬台５９９を加熱装置６のローラーコンベア６３に載置する。上記加熱装置６は，図１２に示すごとく，略楕円状に配置された複数の送りローラ６３５を有するローラーコンベア６３と，該ローラーコンベア６３の一部にこれを覆うように設けられたガス炊き炉６５とからなる。上記加熱装置６に電源が供給されると，上記ガス炊き炉６５が作動すると共に，上記ローラーコンベア６３が作動し，該ローラーコンベア６３上の運搬台５９９が反時計回りに送られる。
【００３５】
上記運搬台５９９が上記ガス炊き炉６５の内部に送られると，ローラーコンベア６３が停止し，上記テーパ端面同士を当接させた第１タイル群２及び第２タイル群３が加熱される。このときの加熱温度及び加熱時間は自由に設定することができるが，本例では，加熱温度１２０℃，加熱時間２０分とした。この加熱により，上記第１タイル群２及び第２タイル群３のテーパ端面に塗布された接着剤が完全に硬化し両者が接着され，コーナータイルユニット１を作製することができる。
【００３６】
加熱が終了すると，再び上記ローラーコンベア６３が作動し，上記運搬台５９９がガス炊き炉６５の外へ送られる。そして，上記運搬台が完全にガス炊き炉６５の外へ送られると，ローラーコンベア６３が停止する。このまま上記コーナータイルユニット１をローラーコンベア６３上に放置し，冷却する。冷却後，意匠面１５５側の粘着テープ１７９を剥離し，表面にはみ出した接着剤をナイフで除去し，図１及び図２に示す，コーナータイルユニット１を得ることができる。
【００３７】
本例のコーナータイルユニット１は，図１及び図２に示すごとく，上記目地用空隙１８に上記連結接着体１８５が配設されており，隣り合うタイルの対向する端部が部分的に接合されている。そのため，上記コーナータイルユニット１は，該コーナータイルユニット１をそのままの形で建物の壁や柱等のコーナー部分に施工することができる。即ち，上記コーナータイルユニット１は，従来のコーナータイルユニットのように粘着テープが貼付されておらず，壁や柱等のコーナー部分に帖着した後に粘着テープを剥離する作業を必要としない。また，粘着テープの残部を取り除く作業も必要ない。そのため，コーナータイルユニットの施工を簡単に行うことができる。
【００３８】
また，上記連結接着体１８５は，第１タイル１２と第２タイル１３との間の目地用空隙１８に配設されている。そのため，コーナータイルユニット１の裏面１５３側にモルタル等の貼り付け剤を塗布し，該コーナータイルユニット１を建築物の壁や柱等のコーナー部分に施工した後には，目地用空隙１８が貼り付け剤によって埋められると共に，上記連結接着体が貼り付け剤によって覆われ外部からは見えなくなる。それ故，従来の粘着テープのようにコーナータイルユニット１の施工時に連結接着体１８５を取り外す必要はない。
【００３９】
また，本例のコーナータイルユニット１の製造方法においては，予め上記連結接着体１８５により複数の上記第１タイル１２を連結してある第１タイル群２と，予め上記連結接着体１８５により複数の上記第２タイル１３を連結してある第２タイル群３とを用いて，上記コーナータイルユニット１を製造している。そして，上記研磨工程及び上記接着工程においては，上記第１タイル１２同士及び上記第２タイル１３同士の上記連結接着体１８５による連結状態を維持したまま行う。
そのため，上記コーナータイルユニット１の作製時に，上記第１タイル１２同士及び第２タイル１３同士の間を正確に計測しながら上記目地用空隙１８を形成するという作業が必要なく，簡単に上記コーナータイルユニット１を作製することができる。
【００４０】
（実施例２）
本例は，縦ａ＝９５ｍｍ，横ｂ＝４５ｍｍのタイルを長尺方向に目地幅ｃ＝５ｍｍにて並列に配置した構造を有する，所謂まぐさユニット或いはびょうぶ曲がりユニットと呼ばれるコーナータイルユニットを製造する例である。
本例のコーナータイルユニット７は，図１４に示すごとく，第１タイル７２同士及び第２タイル７３同士が，各タイルの長尺方向に並列に配置されている。そして，上記第１タイル７２と第２タイル７３とは両者の端部で接着されて３組の接着コーナータイル７５を形成している。また，各第１タイル７３同士及び各第２タイル７３同士の間の目地用空隙７８には，隣り合うタイルの対向する端部を部分的に接合するように，連結接着体７８５がそれぞれ１つずつ配設されている。
その他は，実施例１のコーナータイルユニット１と同様である。
【００４１】
本例のコーナータイルユニット７においても，実施例１と同様に，上記目地用空隙７８に上記連結接着体７８５が配設されており，隣り合うタイルの対向する端部が部分的に接合されている。そのため，上記コーナータイルユニット７は，該コーナータイルユニット７をそのままの形で建物の壁や柱等のコーナー部分に施工することができる。
【００４２】
（実施例３）
本例は，第１タイルと第２タイルとの寸法が異なるコーナータイルユニットを製造する例である。
本例のコーナータイルユニット８は，図１５に示すごとく，縦ａ＝９５ｍｍ，横ｂ＝４５ｍｍの第１タイル８２と，縦及び横の長さｄが等しくｄ＝４５ｍｍの第２タイル８３とが第１タイル８２の短尺方向に並列に配置されている。そして，上記第１タイル８２と第２タイル８３とは，両者の端部で接着されて６組の接着コーナータイル８５を形成している。また，各第１タイル８２同士及び各第２タイル８３同士間には，幅ｃ＝５ｍｍの目地用空隙８８が設けられている。そして，各第１タイル８２間の目地用空隙８８には，隣り合うタイルの対向する端部を部分的に接合するように，上記連結接着体８８５がそれぞれ２つずつ配設されており，各第２タイル８３間の目地用空隙８８には，上記連結接着体８８５がそれぞれ１つずつ配設されている。
その他は，実施例１のコーナータイルユニット１と同様である。
【００４３】
本例のコーナータイルユニットにおいても，実施例１と同様に，上記目地用空隙に上記連結接着体が配設されており，隣り合うタイルの対向する端部が部分的に接合されている。そのため，上記コーナータイルユニットは，該コーナータイルユニットをそのままの形で建物の壁や柱等のコーナー部分に施工することができる。
【図面の簡単な説明】
【図１】実施例１にかかる，コーナータイルユニットの裏面側を示す斜視図。
【図２】実施例１にかかる，コーナータイルユニットの意匠面側を示す斜視図。
【図３】実施例１にかかる，図１のＡ−Ａ線断面矢視図。
【図４】実施例１にかかる，平面タイルユニットを示す平面図。
【図５】実施例１にかかる，第１タイル群を示す平面図。
【図６】実施例１にかかる，テーパ面を有する第１タイル群を示す拡大図。
【図７】実施例１にかかる，研磨機によるテーパ面の形成方法を示す説明図。
【図８】実施例１にかかる，粘着テープにより連結された第１タイル群及び第２タイル群の意匠面側を示す説明図。
【図９】実施例１にかかる，粘着テープにより連結された第１タイル群及び第２タイル群の裏面側を示す説明図。
【図１０】実施例１にかかる，第１タイル群及び第２タイル群を載置した治具を示す上方斜視図。
【図１１】実施例１にかかる，第１タイル群及び第２タイル群を載置した治具を示す上方平面図。
【図１２】実施例１にかかる，図９のＢ−Ｂ線断面矢視図。
【図１３】実施例１にかかる，加熱装置の全体を示す上方平面図。
【図１４】実施例２にかかる，コーナータイルユニットを示す斜視図。
【図１５】実施例３にかかる，コーナータイルユニットを示す斜視図。
【図１６】従来技術にかかる，従来のコーナータイルユニットを示す斜視図。
【符号の説明】
１．．．コーナータイルユニット，
１２．．．第１タイル，
１３．．．第２タイル，
１５．．．接着コーナータイル，
１７．．．突き合わせ接合部，
１８．．．目地用空隙，
１８５．．．連結接着体，
【図１】
2004076497.tif 000003
【図２】
2004076497.tif 000004
【図３】
2004076497.tif 000005
【図４】
2004076497.tif 000006
【図５】
2004076497.tif 000007
【図６】
2004076497.tif 000008
【図７】
2004076497.tif 000009
【図８】
2004076497.tif 000010
【図９】
2004076497.tif 000011
【図１０】
2004076497.tif 000012
【図１１】
2004076497.tif 000013
【図１２】
2004076497.tif 000014
【図１３】
2004076497.tif 000015
【図１４】
2004076497.tif 000016
【図１５】
2004076497.tif 000017
【図１６】
2004076497.tif 000018